(57)【特許請求の範囲】
【請求項１】
監視対象に設置され、通信回線を介して監視センタ及び特定装置と接続される監視装置であって、
前記監視センタと第一の通信回線を常時確立し、該第一の通信回線を確立したまま維持する第一の通信手段と、
少なくとも前記特定装置と第二の通信回線を適時確立する第二の通信手段と、
前記特定装置の識別コードを記憶する識別コード記憶手段と、
前記監視装置の動作プログラムを記憶するプログラム記憶手段と、
前記第二の通信手段を介して受信した信号に含まれる識別コードが前記記憶した識別コードと一致する場合に前記特定装置からの動作プログラムのダウンロードを許容し、
前記監視装置に接続された設備又は警備の異常を検出すると前記動作プログラムのダウンロード中であるか否かにかかわらず前記第一の通信手段を介して前記監視センタに異常信号を送信する制御手段とを具備し、
前記制御手段は、前記識別コードを前記第一の通信回線からのダウンロードによってのみ、前記識別コード記憶手段に記憶させることを特徴とする監視装置。
【請求項２】
前記第一の通信回線は、Ｄチャネルパケット通信回線である請求項１に記載の監視装置。
【請求項３】
前記第二の通信回線は、Ｂチャネル通信回線である請求項１または２に記載の監視装置。
【発明の詳細な説明】
【０００１】
【発明の属する技術分野】
本発明は、通信回線としてのＩＳＤＮを介して遠隔の監視センタからビル、店舗、住居などの監視対象を遠隔監視する監視システムに関する。本発明は、特に、監視対象に設置される監視装置の運行プログラムを、遠隔地にあるセンタからＩＳＤＮを介して、ダウンロードにより集中的に変更可能な監視システムに関する。
【０００２】
【従来の技術】
従来のＩＳＤＮを用いた監視システムでは、各監視対象の防犯、防災、設備などの状態を監視する監視装置が、監視対象ごとに設置される。監視装置は、監視対象における防犯、防災、設備の異常等を検出すると、ＩＳＤＮを介して監視センタに通報をする。この場合、ＩＳＤＮのような公衆回線が断状態となると、監視センタにて監視対象を監視できなくなる。
【０００３】
このため、Ｄチャネルパケット通信を用いて、監視センタと監視装置との間でＤチャネルのパスを常時確立させておき、パスが外れた場合に、回線系の異常が検出されたと判断して、緊急対処要員を急行させるなど監視センタにて適切な対応をしていた。
また、監視システムの初期立ち上げ時の固有データ、又は動作プログラムのバージョンアップ時の動作プログラムは、ＩＳＤＮのＤチャネルパケット通信を用いて監視センタから監視装置へダウンロードしていた。
【０００４】
【発明が解決しようとする課題】
しかし、従来の監視システムでは、監視対象に設置された監視装置の動作プログラムを、Ｄチャネルパケット通信にてダウンロードすると、ダウンロードを行っている最中は、監視センタでの監視が中断される。また、Ｄチャネルは伝送能力がＢチャネルに比べて低いため、ダウンロードに時間がかかるという問題があった。
【０００５】
本発明は、監視センタでの監視を中断させることなく、監視装置への動作プログラムのダウンロードを可能にするとともに、そのダウンロードを実行するセンタの認証を厳正に行うことができる監視装置の実現を目的とする。
【０００６】
【課題を解決するための手段】
本発明は、上記目的を達成するためになされたものである。本発明は、監視対象に設置され、通信回線を介して監視センタ及び特定装置と接続される監視装置であって、監視センタと第一の通信回線を常時確立する第一の通信手段と、少なくとも特定装置と第二の通信回線を適時確立する第二の通信手段と、特定装置の識別コードを記憶する識別コード記憶手段と、動作プログラムを記憶するプログラム記憶手段と、第二の通信手段を介して受信した信号に含まれる識別コードが記憶した識別コードと一致する場合に、特定装置からの動作プログラムのダウンロードを許容する制御手段とを具備する監視装置を提供する。
【０００７】
本発明の監視装置によれば、第一の通信回線を用いた監視センタでの監視を中断することなく、識別コードを有する特定装置から新バージョンの動作プログラムを第二の回線から安全にダウンロードすることができる。
また、制御手段は、特定装置の識別コードを、第一の通信回線からのダウンロードによってのみ識別コード記憶手段に記憶させることができる。
【０００８】
これにより、第一の通信回線は常時監視センタとのパスが確立されているので、第三者が第一の通信回線に潜入することはできない。したがって、第三者により特定装置の識別コードを変更することができない。第三者が第一の通信回線に潜入しようとすれば、当該パスが切断されることとなるので、監視センタにてこれを迅速に検出でき、適切な対応が可能となる。また、第三者が第二の通信回線から接続しようとしても、制御手段は、第二の通信回線からのダウンロードでは特定装置の識別コードの変更を受け付けない。
【０００９】
【発明の実施の形態】
本発明の実施形態について図を用いて説明する。
図１は、監視システムの全体構成を示す。
ビル、店舗、住居などの監視対象に監視装置５が設置される。監視装置５は、ＩＳＤＮ２を介して、遠隔地にある監視センタ装置３及びシステム管理センタ装置４（特定装置）と接続される。なお、複数の監視対象１が、ＩＳＤＮ２を介して、監視センタ装置３及びシステム管理センタ装置４に接続されるが、図では１つの監視対象１のみを示している。
【００１０】
監視対象１には、監視装置５が、ＡＴＭ６、照明設備７、出入口設備８などの設備装置と接続され、防犯、防災用の各種センサ９と接続される。監視装置５は、設備又は警備の異常等を検出すると、ＩＳＤＮ２を介して監視センタ装置３に異常信号を送信する。
監視センタ装置３は、監視装置５が監視対象に最初に設置されたときに、初期設定として、監視装置５との間でＩＳＤＮ２のＤチャネルパケットパスを確立し、初期設定に必要なデータなどをダウンロードする。このＤチャネルパケットパスは常時確立され、監視センタ装置３と監視装置５との間を中継する。（以下、監視装置５の「動作プログラム」を単にプログラムと記載する。）
システム管理センタ装置４は、監視システムのバージョンアップがあったときなどに、ＩＳＤＮ２のＢチャネルを介して、監視装置５に新バージョンのプログラムをダウンロードする。監視装置５が新バージョンのプログラムをメモリに格納した後に、システム管理センタ装置４は、監視装置５に対して旧プログラムから新プログラムへの切換えの指令を送信する。
【００１１】
図２は、図１の監視装置５の構成を示す。
監視装置５は通信部１１を有し、通信部１１は、Ｄチャネルパケット通信処理部１２とＢチャネル通信処理部１３を有する。各通信処理部１２，１３は、通信インタフェース１４を介してＩＳＤＮ２と接続される。
制御手段１５に、操作部１６、表示部１７、設備制御インタフェース１８、センサインタフェース１９が接続される。操作部１６は、監視対象１の警備セット、解除の設定操作などを行うために設けられる。表示部１７は、監視対象１の異常又は正常の表示、設備の稼働状態などを表示する。設備制御インタフェース１８を介して各設備６，７，８が接続され、センサインタフェース１９を介して各センサ９が接続される。
【００１２】
制御手段１５は、ＣＰＵ２１、ＲＡＭ２２、フラッシュメモリ２３から構成される。制御手段１５は、各設備６，７，８、各センサ９、操作部１６からの信号に基づいて、監視センタ装置３へ設備の状態を示す信号、及び、防犯、防災の状態を示す信号を送信する。なお、これらの点は従来の監視装置と異なるところがないので、ここでの詳細な説明は省略する。
【００１３】
ＲＡＭ２２には、固有データと識別コードが記憶される。固有データは、監視装置５が設置された監視対象１ごとのデータ、例えば、監視対象１が店舗であれば、開店時間、閉店時間などの顧客に固有のデータである。識別コードは、システム管理センタ装置４を識別をするためのコードであり、例えば、システム管理センタ装置４のＩＤコードである。また、識別コードに、システム管理センタ装置４の電話番号、使用される回線番号などを用いたり付加することもできる。
【００１４】
フラッシュメモリ２３には、制御手段１５の動作プログラムが格納される。また、フラッシュメモリ２３には、現行のプログラムＡを格納する領域と、ダウンロードされた新バージョンプログラムＢを格納する領域とが設けられる。
図３と図４を用いて、制御手段１５によるプログラムのダウンロード動作を説明する。
【００１５】
図３は、初期設定時のデータのダウンロード動作を示す。図３の動作は、監視装置５を監視対象１に設置し、監視装置５におけるハードウェア的な設定が終了し、監視センタ装置３との間で、開通チェックを行う際に行われる。また、フラッシュメモリ２３には、予め、ＯＳを始めとするプログラムが格納されている。
ステップＳ１１で、監視装置５と監視センタ装置３との間にＩＳＤＮ２のＤチャネルパケットパス（第一の通信回線）を確立させる。このパスは、ここで一旦確立すると、初期設定終了後においても確立したままである。監視装置５と監視センタ装置３は、このＤチャネルパケットパスを介して監視動作を常時行う。したがって、図３の初期設定動作が終了した後は、悪意の第三者が識別コードを変更しようとしても、この回線には潜入することができない。また、第三者がこの回線に潜入した場合には、当該パスが切断されるので、監視センタ装置３にてこれを迅速に検出することができる。
【００１６】
ステップＳ１２で、固有データと識別コードのダウンロード要求操作があるか否かが判定される。監視装置５の操作部１６においてダウンロード要求の操作をすると、ステップＳ１３へ進み、データの受信を待つ。監視センタ装置３は、Ｄチャネルパケットパスが確立すると、固有データと識別コードを送信する。
制御手段１５は、監視センタ装置３からデータを受信すると、ステップＳ１３からステップＳ１４へ進み、受信したデータ中の固有データと監視装置５に接続された各機器６〜８及びセンサ９等との整合性をチェックする。チェックの結果がＯＫであれば、ステップＳ１５からステップＳ１６へ進んで、ダウンロードされた固有データと識別コードをＲＡＭ２２に格納して処理を終了する。また、ステップＳ１５でＮＧであれば、ステップＳ１７で、表示部１７にガイダンスを表示し、受信した固有データと識別コードを破棄して、ステップＳ１８で再度のダウンロード要求操作を待つ。そして、ダウンロード要求があれば、ステップＳ１３へ戻る。
【００１７】
図４は、監視装置５のプログラムをバージョンアップするときの動作を示す。プログラムのバージョンアップ時には、システム管理センタ装置４は、ＩＳＤＮ２のＢチャネル回線を使用して、回線確立後にダウンロードコマンドとダウンロードするプログラムを送信する。
監視装置５では、Ｂチャネル回線（第二の通信回線）に対する呼を受けると、ステップＳ２１で、受信したＤチャネルでの制御情報中の識別コードが、ＲＡＭ２２に記憶した識別コードと一致するか否かを判別する（認証）。ここで、識別コードが合わなければ、システム管理センタ装置４からの呼出しではないと判定して、ステップＳ２９へ進んで受信したデータに基づいて他の処理を行う。したがって、第三者がＢチャネルから潜入して動作プログラムを書き替えようとしても、制御手段１５はこれを受け付けない。
【００１８】
識別コードが一致すれば、システム管理センタ装置４からの着呼であるので、ステップＳ２２でＢチャネル回線を確立する。Ｂチャネル回線が確立すると、システム管理センタ装置４は、最初にダウンロードコマンドを送信し、続いてプログラムをダウンロードする。なお、プログラムのダウンロードは、各監視装置５ごとに個別に送信することも、全監視装置５に対して一斉に送信することも可能である。
【００１９】
ステップＳ２３で、受信したデータが、ダウンロードコマンドであるか否かを判定する。ダウンロードコマンドを受信すると、ステップＳ２４へ進む。ステップＳ２４では、ダウンロードされてくるプログラムを格納するメモリ領域を選定する。ここでは、フラッシュメモリ２３内の、現在動作しているプログラムＡ又はＢが格納されている領域でない領域が選定される。
【００２０】
続いて、ステップＳ２５で、システム管理センタ装置４からダウンロードされてくるプログラムを受信し、フラッシュメモリ２３の設定した領域に受信したプログラムを格納する。その後、ステップＳ２６でＢチャネルを開放して処理を終了する。なお、この状態では、フラッシュメモリ２３に新旧両バージョンのプログラムが格納された状態となっており、制御手段１５は旧バージョンのプログラムで動作している。
【００２１】
各監視装置５へのプログラムのダウンロードが終了すると、システム管理センタ装置４は、再度、各監視装置５に対してＢチャネルを使用して呼出しを行う。そして、回線が確立すると、監視装置５に対して切替コマンドを送信する。なお、この切替コマンドは、複数の監視装置５に対して一斉に行うこともできる。
監視装置５では、システム管理センタ装置４から着呼を受けると、図４のステップＳ２１、Ｓ２２からＳ２３へ進み、受信したデータがダウンロードコマンドであるか否かを判定する。ここでは、ダウンロードコマンドではないので、ステップＳ２７へ進み、切替コマンドであるか否かを判定する。ここで、切替コマンドを受信していなければステップＳ２３へ戻り、受信していれば、ステップＳ２８でプログラム切替処理を行う。ここでは、旧バージョンのプログラムＡ又はＢから新バージョンのプログラムＢ又はＡへの切替が行われる。その後、ステップＳ２６でＢチャネルを開放して処理を終了する。以後、制御手段１５は新バージョンのプログラムにより動作を行う。
【００２２】
以上説明した例によれば、システム管理センタ装置４から監視装置５へのプログラムのダウンロードは、大容量なＢチャネル回線を使用して行われるので、短時間でダウンロードを終了することができる。また、ダウンロードの間であっても、監視対象に設置された監視装置５と監視センタ装置３との間は、常時Ｄチャネルパスが確立しているので、監視装置５と監視センタ装置３との間の監視動作を中断することがない。
【００２３】
【発明の効果】
本発明によれば、監視センタでの監視を中断させることなく、監視装置へのプログラムのダウンロードを可能にするとともに、そのダウンロードを実行するセンタの認証を厳正に行うことができる。
【図面の簡単な説明】
【図１】本発明の監視装置が適用される監視システムの構成を示す図。
【図２】本発明を適用した監視装置の構成を示す図。
【図３】図２の制御手段による初期設定動作を示すフローチャート。
【図４】図２の制御手段によるプログラムダウンロード動作を示すフローチャート。
【符号の説明】
１…監視対象
２…ＩＳＤＮ
３…監視センタ装置
４…システム管理センタ装置
５…監視装置
６…ＡＴＭ
７…照明設備
８…出入口設備
９…センサ
１１…通信部
１２…Ｄチャネル通信処理部
１３…Ｂチャネル通信処理部
１４…通信インタフェース
１５…制御手段
１６…操作部
１７…表示部
１８…設備制御インタフェース
１９…センサインタフェース
２１…ＣＰＵ
２２…ＲＡＭ
２３…フラッシュメモリ
【図１】
0004242991.tif 000002
【図２】
0004242991.tif 000003
【図３】
0004242991.tif 000004
【図４】
0004242991.tif 000005